(57)【要約】【課題】理想的な足骨格の矯正を行い、腰から下の整形外科疾患に対して治療的および予防的効果が得られるようにした。【解決手段】中敷き１の足に接触する面に、横アーチＣ３、内側縦アーチＣ４、外側縦アーチＣ５を整える凸形状が施され、横アーチを整える形状８７、内側縦アーチＣ４を整える形状および外側縦アーチＣ５を整える形状は、足裏形状にフィットする形状で、又これらの凸形状は互いに滑らかな曲面でつながっている。【選択図】      図１
2004181206.tif 000002
【特許請求の範囲】
【請求項１】
中敷きの足に接触する面に、足の骨格の３つのアーチである横アーチ、内側縦アーチ、外側縦アーチを整える凸形状が施され、
横アーチを整える形状は、足裏形状にフィットする形状で、大きさは、幅が第１中足骨・第５中足骨にかからない程度で、長さが第２・第３中足骨程度で、高さが横アーチを正常な形状に保つ程度で、位置としては第２・第３中足骨の中間を中心とし、第１中足骨頭から第５中足骨頭を直線で結ぶライン（以下ＭＰラインという）から踵方向に位置し、
内側縦アーチを整える形状は、足裏形状にフィットする形状で、大きさは、幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とする履き物用中敷き。
【請求項２】
中敷きの足に接触する面に、足の骨格のアーチである内側縦アーチ、外側縦アーチを整える凸形状が施され、
内側縦アーチを整える形状は、足裏形状にフィットする形状で、大きさは、幅が第１楔状骨内側から第３楔状骨外側程度で、長さが第１中足骨頭付近から踵骨の載距突起後方付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチはやや小さめで、位置としては前述した骨の下に位置し、
又これらの凸形状は互いに滑らかな曲面でつながっていることを特徴とする履き物用中敷き。
【請求項３】
中敷きの足に接触する面に、足の骨格のアーチである内側縦アーチ・外側縦アーチを整える凸形状と、踵骨底部は踵周縁部と凹形状が施され、
内側縦アーチを整える形状は、足裏形状にフィットする形状で、大きさは、幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度に、位置としては前述した骨の下に位置し、
これらの凸形状は滑らかな曲面でつながっていることを特徴とする履き物用中敷き。
【請求項４】
中敷きの足に接触する面に、足の骨格の３つのアーチである横アーチ、内側縦アーチ、外側縦アーチを整える凸形状と、凹形状により第２及び第３中足骨頭下付近が第１及び第５中足骨頭部分より低くなるような形状が施され、
横アーチを整える形状は、足裏形状にフィットする形状で、大きさは、幅が第１中足骨・第５中足骨にかからない程度で、長さが第２・第３中足骨程度で、高さが横アーチを正常な形状に保つ程度で、位置としては第２・第３中足骨の中間を中心とし、ＭＰラインから踵方向に位置し、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とする履き物用中敷き。
【請求項５】
中敷きの足に接触する面に、足の骨格の３つのアーチである横アーチ、内側縦アーチ、外側縦アーチを整える凸形状が施され、
横アーチを整える形状は、足裏形状にフィットする形状で、大きさは幅が第１中足骨・第５中足骨にかからない程度で、長さが第２・第３中足骨程度で、高さが横アーチを正常な形状に保つ程度で、位置としては第２・第３中足骨の中間を中心とし、ＭＰラインから踵方向に位置し、
内側縦アーチを整える形状は、足裏形状にフィットする形状で、大きさは幅が第１楔状骨内側から第３楔状骨外側程度で、長さが第３中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ踵骨外側から踵骨内側に傾斜がついていることを特徴とする履き物用中敷き。
【請求項６】
中敷きの足に接触する面に、足の骨格のアーチである内側縦アーチ、外側縦アーチを整える凸形状が施され、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ前足部、中足部に対して後足部のレベルが低いことを特徴とする履き物用中敷き。
【請求項７】
中敷きの足に接触する面に、足の骨格の３つのアーチである横アーチ、内側縦アーチ、外側縦アーチを整える凸形状が施され、
横アーチを整える形状は、足裏形状にフィットする形状で、幅が第１中足骨・第５中足骨にかからない程度で、長さが第２・第３中足骨程度で、高さが横アーチを多少突き上げる程度で、位置としてはＭＰラインから踵方向で第３・第４中足骨中間部に位置し、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とする履き物用中敷き。
【請求項８】
中敷きの足に接触する面に、足の骨格のアーチである内側縦アーチ、外側縦アーチを整える凸形状が施され、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ踵骨外側から踵骨内側に傾斜がついていることを特徴とする履き物用中敷き。
【請求項９】
構造が表素材と裏素材の多層構造からなることを特徴とする請求項１〜８記載の履き物用中敷き。
【請求項１０】
前記裏素材はエラストマーまたはコルクからなることを特徴とする請求項９記載の履き物用中敷き。
【請求項１１】
請求項１、９又は１０で構成された履き物用中敷きを、履き物本体の上部に備えてなることを特徴とする履き物。
【請求項１２】
請求項２、９又は１０で構成された履き物用中敷きを、履き物本体の上部に備えてなることを特徴とする履き物。
【請求項１３】
請求項３、９又は１０で構成された履き物用中敷きを、履き物本体の上部に備えてなることを特徴とする履き物。
【請求項１４】
請求項４、９又は１０で構成された履き物用中敷きを、履き物本体の上部に備えてなることを特徴とする履き物。
【請求項１５】
請求項５、９又は１０で構成された履き物用中敷きを、履き物本体の上部に備えてなることを特徴とする履き物。
【請求項１６】
請求項６、９又は１０で構成された履き物用中敷きを、履き物本体の上部に備えてなることを特徴とする履き物。
【請求項１７】
請求項７、９又は１０で構成された履き物用中敷きを、履き物本体の上部に備えてなることを特徴とする履き物。
【請求項１８】
請求項８、９又は１０で構成された履き物用中敷きを、履き物本体の上部に備えてなることを特徴とする履き物。
【発明の詳細な説明】
【０００１】
【発明の属する技術分野】
この発明は履き物用中敷きであって、腰から下の主要な整形外科疾患の治療的および予防的効果に有効な履き物用中敷きおよび履き物に関する。
【０００２】
【従来の技術】
従来、医療機関で行われる保存的療法として足底装具療法があるが、これは１人１人の足型を採取して、骨格を矯正すべき箇所に修正を加えた石膏モデルを製作し、これに合わせて足底装具を作るといった手順で行われるものと、足型を採取せずにパッド類を足に直接合わせる方法を用いて、靴の中敷の下に矯正用のパッドを設定する方法、またパッドを組み合わせる方法が知られている。
【０００３】
【特許文献１】
特開２００２−１５９３０２
【０００４】
【発明が解決しようとする課題】
ところで、従来の足底装具を作るといった手順で行われるもの、靴の中敷の下に矯正用のパッドを設定する方法においては、製作技術者間においてバラツキが生じるという問題あった。
【０００５】またパッドを組み合わせる方法は、各パッドと靴の中底との境界に段差ができ、装着したときに違和感を感じることがあった。
【０００６】
この発明は上述の課題を解決するためになされたもので、その目的は、こうした医療技術のバラツキや病院に行く煩わしさを解消するために、この中敷きを使用しようとする者は、自分の足の状態に合わせて、そのタイプと自分の足サイズを選択するだけで、理想的な足骨格の矯正を行い、腰から下の整形外科疾患に対して治療的および予防的効果が得られるようにした履き物用中敷きおよび履き物を提供することにある。
【０００７】
【課題を解決するための手段】
上記目的を達成するために請求項１によるこの発明の履き物用中敷きは、中敷きの足に接触する面に、足の骨格の３つのアーチである横アーチ、内側縦アーチ、外側縦アーチを整える凸形状が施され、
横アーチを整える形状は、足裏形状にフィットする形状で、大きさは、幅が第１中足骨・第５中足骨にかからない程度で、長さが第２・第３中足骨程度で、高さが横アーチを正常な形状に保つ程度で、位置としては第２・第３中足骨の中間を中心とし、ＭＰラインから踵方向に位置し、
内側縦アーチを整える形状は、足裏形状にフィットする形状で、大きさは、幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とするものである。
【０００８】
したがって、横アーチを持ち上げて正常な横アーチをつくることによってこれが矯正または予防される。同時に２つのアーチである、内側縦アーチ、外側縦アーチを整える凸形状が施されているから、他の部分の骨格の崩れが防止される。
【０００９】
請求項２によるこの発明の履き物用中敷きは、中敷きの足に接触する面に、足の骨格のアーチである内側縦アーチ、外側縦アーチを整える凸形状が施され、
内側縦アーチを整える形状は、足裏形状にフィットする形状で、大きさは、幅が第１楔状骨内側から第３楔状骨外側程度で、長さが第１中足骨頭付近から踵骨の載距突起後方付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチはやや小さめで、位置としては前述した骨の下に位置し、
又これらの凸形状は互いに滑らかな曲面でつながっていることを特徴とするものである。
【００１０】
したがって、内側縦アーチの頂点を構成する舟状骨を中心として第１中足骨頭付近から踵骨の載距突起後方付近の下に、これを支える膨隆部を形成することによってこれが矯正または予防される。外側縦アーチを整える凸形状が施されているので、同時に他の部分の骨格の崩れが防止される。
【００１１】
請求項３によるこの発明の履き物用中敷きは、中敷きの足に接触する面に、足の骨格のアーチである内側縦アーチを整える凸形状と、踵骨底部は踵周縁部と凹形状が施され、
内側縦アーチを整える形状は、足裏形状にフィットする形状で、大きさは、幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、  外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度に、位置としては前述した骨の下に位置し、
これらの凸形状は滑らかな曲面でつながっていることを特徴とするものである。
【００１２】
したがって、骨棘を生じた部位を凹形状で除圧し、足底腱膜に不要な張力がかからないように、内側縦アーチを持ち上げることによって、疼痛が軽減される。足裏形状が全面で均一に接触するような凸形状が施されているので、同時に他の部分の骨格の崩れが防止される。
【００１３】
請求項４によるこの発明の履き物用中敷きは、中敷きの足に接触する面に、足の骨格の３つのアーチである横アーチ、内側縦アーチ、外側縦アーチを整える凸形状と、凹形状により第２及び第３中足骨頭付近が第１及び第５中足骨頭部分より低くなるような形状が施され、
横アーチを整える形状は、足裏形状にフィットする形状で、大きさは、幅が第１中足骨・第５中足骨にかからない程度で、長さが第２・第３中足骨程度で、高さが横アーチを正常な形状に保つ程度で、位置としては第２・第３中足骨の中間を中心とし、ＭＰラインから踵方向に位置し、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とするものである。
【００１４】
したがって、第２及び第３中足骨部分付近が第１および第５中足骨頭部分よりも低くなるように凹形状で除圧することによって、疼痛が軽減される。３つのアーチである横アーチ、内側縦アーチ、外側縦アーチを整える凸形状が施されているので、同時に他の部分の骨格の崩れが防止される。
【００１５】
請求項５によるこの発明の履き物用中敷きは、中敷きの足に接触する面に、足の骨格の３つのアーチである横アーチ、内側縦アーチ、外側縦アーチを整える凸形状が施され、
横アーチを整える形状は、足裏形状にフィットする形状で、大きさは幅が第１中足骨・第５中足骨にかからない程度で、長さが第２・第３中足骨程度で、高さが横アーチを正常な形状に保つ程度で、位置としては第２・第３中足骨の中間を中心とし、ＭＰラインから踵方向に位置し、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ踵骨外側から踵骨内側に傾斜がついていることを特徴とするものである。
【００１６】
したがって、第５中足骨底から踵骨中央付近の下に楔状の形状を設定して、下腿全体を内倒れさせるような外力を加え、膝関節内側裂隙を広げるようにしてこれが矯正または予防され、疼痛が軽減される。３つのアーチである横アーチ、内側縦アーチ、外側縦アーチを整える凸形状が施されているので、同時に他の部分の骨格の崩れが防止される。
【００１７】
請求項６によるこの発明の履き物用中敷きは、中敷きの足に接触する面に、足の骨格のアーチである内側縦アーチ、外側縦アーチを整える凸形状が施され、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ前足部、中足部に対して後足部のレベルが低いことを特徴とするものである。
【００１８】
したがって、前足部よりも後足部を低くすることにより、骨盤を後傾させて疼痛が軽減される。内側縦アーチと外側縦アーチを整える凸形状が施されているので、同時に他の部分の骨格の崩れが防止され、特に内外側方向の安定が保持される。
【００１９】
請求項７によるこの発明の履き物用中敷きは、中敷きの足に接触する面に、足の骨格の３つのアーチである横アーチ、内側縦アーチ、外側縦アーチを整える凸形状が施され、
横アーチを整える形状は、足裏形状にフィットする形状で、幅が第１中足骨・第５中足骨にかからない程度で、長さが第２・第３中足骨程度で、高さが横アーチを多少突き上げる程度で、位置としては第１中足骨頭から第５中足骨頭を直線で結ぶラインから踵方向で第３・第４中足骨中間部に位置し、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていることを特徴とするものである。
【００２０】
したがって、第３および第４中足骨頭間を広げるように横アーチを保持することにより、神経圧迫を取り除くことで疼痛が軽減される。内側縦アーチ、外側縦アーチを整える凸形状が施されているので、同時に他の部分の骨格の崩れが防止される。
【００２１】
請求項８によるこの発明の履き物用中敷きは、中敷きの足に接触する面に、足の骨格のアーチである内側縦アーチ、外側縦アーチを整える凸形状が施され、
内側縦アーチを整える形状は、足裏形状にフィットする形状で、大きさは幅が第１楔状骨内側から第３楔状骨外側程度で、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは幅が第５中足骨底外側から第５中足骨底内側程度で、長さが第５中足骨底から踵骨中央付近までで、高さが外側縦アーチを正常な形状に保つ程度で、位置としては前述した骨の下に位置し、
又これらの凸形状は互いに滑らかな曲面でつながっていて、尚かつ踵骨外側から踵骨内側に傾斜がついていることを特徴とするものである。
【００２２】
したがって、中足部から後足部を外反させて矯正するために、第５中足骨骨幹部付近から踵骨内側付近の下に楔状の形状を設定して、下腿全体を内倒れさせるような外力を加え、膝関節を外反方向に誘導するので、中足部から後足部が外反されて矯正される。内側縦アーチを整える凸形状が施されているので、同時に足部に対して過度の外反矯正がかからないようになる。
【００２３】
請求項９によるこの発明の履き物用中敷きは、請求項１〜８記載の履き物用中敷きにおいて、構造が表素材と裏素材の多層構造からなることを特徴とするものである。
【００２４】
したがって、構造が表素材と裏素材の多層構造からなっているので、簡単に製作される。
【００２５】
請求項１０によるこの発明の履き物用中敷きは、請求項９記載の履き物用中敷きにおいて、前記裏素材はエラストマーまたはコルクからなることを特徴とするものである。
【００２６】
したがって、裏素材はエラストマーまたはコルクからなっているので、履き物用中敷きが弾性に富み、衝撃がソフトに吸収され、足裏部の感触がよく、丈夫である。
【００２７】
請求項１１によるこの発明の履き物は、請求項１、９又は１０で構成された履き物用中敷き用中敷きを、履き物本体の上部に備えてなることを特徴とするものである。
【００２８】
したがって、請求項１、９又は１０で構成された履き物用中敷きが、履き物本体の上部に備えられているから、横アーチを持ち上げて正常な横アーチをつくることによってこれが矯正または予防される。同時に２つのアーチである、内側縦アーチ、外側縦アーチを整える凸形状が施されているから、他の部分の骨格の崩れが防止される。
【００２９】
請求項１２によるこの発明の履き物は、請求項２、９又は１０で構成された履き物用中敷きを、履き物本体の上部に備えてなることを特徴とするものである。
【００３０】
したがって、請求項２、９又は１０で構成された履き物用中敷きが、履き物本体の上部に備えられているから、内側縦アーチの頂点を構成する舟状骨を中心として第１中足骨頭付近から踵骨の載距突起後方付近の下に、これを支える膨隆部を形成することによってこれが矯正または予防される。外側縦アーチを整える凸形状が施されているので、同時に他の部分の骨格の崩れが防止される。
【００３１】
請求項１３によるこの発明の履き物は、請求項３、９又は１０で構成された履き物用中敷きを、履き物本体の上部に備えてなることを特徴とするものである。
【００３２】
したがって、請求項３、９又は１０で構成された履き物用中敷きが、履き物本体の上部に備えられているから、骨棘を生じた部位を凹形状で除圧し、足底腱膜に不要な張力がかからないように、内側縦アーチを持ち上げることによって、疼痛が軽減される。足裏形状が全面で均一に接触するような凸形状が施されているので、同時に他の部分の骨格の崩れが防止される。
【００３３】
請求項１４によるこの発明の履き物は、請求項４、９又は１０で構成された履き物用中敷きを、履き物本体の上部に備えてなることを特徴とするものである。
【００３４】
したがって、請求項４、９又は１０で構成された履き物用中敷きが、履き物本体の上部に備えられているから、第２及び第３中足骨部分付近が第１および第５中足骨頭部分よりも低くなるように凹形状で除圧することによって、疼痛が軽減される。３つのアーチである横アーチ、内側縦アーチ、外側縦アーチを整える凸形状が施されているので、同時に他の部分の骨格の崩れが防止される。
【００３５】
請求項１５によるこの発明の履き物は、請求項５、９又は１０で構成された履き物用中敷きを、履き物本体の上部に備えてなることを特徴とするものである。
【００３６】
したがって、請求項５、９又は１０で構成された履き物用中敷きが、履き物本体の上部に備えられているから、踵骨外側から踵骨内側に傾斜をつけることで、下腿全体を内倒れさせるような外力を加え、膝関節内側裂隙を広げるようにしてこれが矯正または予防され、疼痛が軽減される。３つのアーチである横アーチ、内側縦アーチ、外側縦アーチを整える凸形状が施されているので、同時に他の部分の骨格の崩れが防止される。
【００３７】
請求項１６によるこの発明の履き物は、請求項６、９又は１０で構成された履き物用中敷きを、履き物本体の上部に備えてなることを特徴とするものである。
【００３８】
したがって、請求項６、９又は１０で構成された履き物用中敷きが、履き物本体の上部に備えられているから、前足部よりも後足部を低くすることにより、骨盤を後傾させて疼痛が軽減される。内側縦アーチと外側縦アーチを整える凸形状が施されているので、同時に他の部分の骨格の崩れが防止され、特に内外側方向の安定が保持される。
【００３９】
請求項１７によるこの発明の履き物は、請求項７、９又は１０で構成された履き物用中敷きを、履き物本体の上部に備えてなることを特徴とするものである。
【００４０】
したがって、請求項７、９又は１０で構成された履き物用中敷きが、履き物本体の上部に備えられているから、第３および第４中足骨頭間を広げるように横アーチを保持することにより、神経圧迫を取り除くことで疼痛が軽減される。内側縦アーチ、外側縦アーチを整える凸形状が施されているので、同時に他の部分の骨格の崩れが防止される。
【００４１】
請求項１８によるこの発明の履き物は、請求項８、９又は１０で構成された履き物用中敷きを、履き物本体の上部に備えてなることを特徴とするものである。
【００４２】
したがって、請求項８、９又は１０で構成された履き物用中敷きが、履き物本体の上部に備えられているから、中足部から後足部を外反させて矯正するために、第５中足骨骨幹部付近から踵骨内側付近の下に楔状の形状を設定して、下腿全体を内倒れさせるような外力を加え、膝関節を外反方向に誘導するので、Ｏ脚を矯正することができる。内側縦アーチを整える凸形状が施されているので、同時に足部に対して過度の外反矯正がかからないようになる。
【００４３】
【発明の実施の形態】
以下、この発明の実施の形態について図面を参照して詳細に説明する。
【００４４】
この発明の履き物用中敷きを説明する前に足の骨格をまず説明すると、図１７において脛骨の上部に距骨１があり、この距骨１の上部には踵骨３がある。この踵骨３の上部は踵骨載距突起５が突出している。前記踵骨３の前部には舟状骨７が存在している。そして、この舟状骨７の前部において左から右に（図１７において上から下に）第１楔状骨９、第２楔状骨１１、第３楔状骨１３、立方骨１５がある。前記第１楔状骨９の前部には左から右に（図１７において上から下に）第１中足骨１７、第２中足骨１９、第３中足骨２１、第４中足骨２３および第５中足骨２５が存在している。この第５中足骨２５の後部には第５中足骨底部２７を有している。これらの第１中足骨１７、第２中足骨１９、第３中足骨２１、第４中足骨２３および第５中足骨２５の前部には第１中足骨頭２９、第２中足骨頭３１、第３中足骨頭３３、第４中足骨頭３５および第５中足骨頭３７がある。しかも、第１中足骨頭２９の上部には外側種子骨３９、内側種子骨４１がある。
【００４５】
また、前記第１中足骨頭２９、第２中足骨頭３１、第３中足骨頭３３、第４中足骨頭３５および第５中足骨頭３７の前方には第１基節骨４３、第２基節骨４５、第３基節骨４７、第４基節骨４９および第５基節骨５１がある。前記第１基節骨４３の前方には第１末節骨５３が、前記第２基節骨４５の前方には第２中節骨５５を介して第１末節骨５７が、前記第３基節骨４７の前方には第３中節骨５９を介して第３末節骨６１が、前記第４基節骨４９の前方には第４中節骨６３を介して第４末節骨６５が、前記第５基節骨５１の前方には第５中節骨６７を介して第５末節骨６９が、存在している。
【００４６】
前記第１中足骨頭２９、第２中足骨頭３１、第３中足骨頭３３、第４中足骨頭３５および第５中足骨頭３７と、第１基節骨４３、第２基節骨４５、第３基節骨４７、第４基節骨４９および第５基節骨５１との間の曲線Ｃ１の前方を前足部７１という。また、第１楔状骨９、第２楔状骨１１、第３楔状骨１３、立方骨１５と、前記第１中足骨１７、第２中足骨１９、第３中足骨２１、第４中足骨２３および第５中足骨２５との間の曲線Ｃ２と前記曲線Ｃ１との間を中足部７３という。また、前記曲線Ｃ２の後方を後足部７５という。また、図１７において曲線Ｃ３、曲線Ｃ４および曲線Ｃ５をそれぞれ横アーチ、内側縦アーチおよび外側縦アーチと呼んでいる。
【００４７】
次に、この履き物用中敷きについて説明すると、まず、図１および図２（Ａ）〜（Ｄ）を参照するに、履き物用中敷き８１の構造は表面層である表素材８３と裏面層である裏素材８５の多層構造からなっていて、成形プレスなどで一体化されている。したがって、構造が例えば織布、天然皮革などの表素材８３と裏素材８５の多層構造からなっているので、簡単に製作することができる。また、前記裏素材８５は例えばＰＵ、ＥＶＡ、ＳＢＲ、シリコンなどのエラストマーまたはコルクからなっている。したがって、裏素材８５はエラストマーまたはコルクからなっているので、履き物用中敷き８１が弾性に富み、衝撃をソフトに吸収でき、足裏部の感触がよく、丈夫である。
【００４８】
開張足とは足の横アーチＣ３が低下して、中足骨間すなわち、第１中足骨１７と第２中足骨１９、第２中足骨１９と第３中足骨２１、第３中足骨２１と第４中足骨２３および第４中足骨２３と第５中足骨２５との間が広がって扇状になった状態である。この状態で靴を履くことにより、第１基節骨４３が押されて中足趾節関節が外反することで外反母趾が誘発される。
【００４９】
このため横アーチＣ３を持ち上げて中足骨間を狭めることによってこれを矯正または予防する。同時に他の部分の骨格の崩れを防止するために３つのアーチである横アーチＣ３、内側縦アーチＣ４、外側縦アーチＣ５を整える凸形状が施されていることが重要である。
【００５０】
そこで、図１および図２（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状が施されている。そして、横アーチＣ３を整える形状８７は、例えばしずく型の足裏形状にフィットする形状で、大きさは、幅が例えば４０〜６０ｍｍの第１中足骨１７・第５中足骨２５にかからない程度で、長さが例えば６０〜８０ｍｍの第２・第３中足骨１９、２１程度で、高さが例えば５〜１５ｍｍの横アーチＣ３を正常な形状に保つ程度で、位置としては第２・第３中足骨１９、２１の中間を中心とし、ＭＰラインから踵方向に位置している。
【００５１】
内側縦アーチＣ４を整える形状８９は、例えば木の葉ような形の足裏形状にフィットする形状で、大きさは、幅が例えば３５〜５５ｍｍの第１楔状骨９の内側から第３楔状骨１３の外側程度で、長さが例えば８０〜１１０ｍｍの第１中足骨頭２９付近から踵骨３の載距突起５付近までで、高さが例えば５〜１２ｍｍの内側縦アーチＣ４を正常な形状に保つ程度で、位置としては前述した骨の下に位置している。
【００５２】
外側縦アーチＣ５を整える形状９１は、例えば木の葉ような形の足裏形状にフィットする形状で、大きさは、幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨中央付近までで、高さが例えば３〜７ｍｍの外側縦アーチＣ５を正常な形状に保つ程度で、位置としては前述した骨の下に位置している。又これらの凸形状は互いに滑らかな曲面でつながっているものである。
【００５３】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００５４】
横アーチＣ３を持ち上げて正常な横アーチをつくることによってこれを矯正または予防することができる。同時に３つのアーチである横アーチＣ３、内側縦アーチＣ４、外側縦アーチＣ５を整える凸形状が施されているから、他の部分の骨格の崩れを防止することができる。
【００５５】
図３および図４（Ａ）〜（Ｄ）には、図１および図２（Ａ）に代わる他の実施の形態が示めされている。図３および図４（Ａ）〜（Ｄ）において、図１および図２（Ａ）における部品と同じ部品には同一の符号を付して重複する説明を省略する。
【００５６】
扁平足とは内側縦アーチＣ４が低下して足全体が外反する。このため内側縦アーチＣ４の頂点を構成する舟状骨７を中心として第１中足骨頭２９付近から踵骨３の載距突起５の後方付近の下に、これを支える膨隆部を形成することによってこれを矯正または予防することができる。同時に他の部分の骨格の崩れを防止するために外側縦アーチＣ５を整える凸形状が施されていることが重要である。
【００５７】
図３および図４（Ａ）〜（Ｄ）において、中敷き８１の足に接触する面すなわち表素材８３に、足の骨格のアーチである内側縦アーチＣ４、外側縦アーチＣ５を整える凸形状が施されている。内側縦アーチＣ４を整える形状８９は、木の葉のような形の足裏形状にフィットする形状で、大きさは、幅が例えば３５〜５５ｍｍの第１楔状骨９の内側から第３楔状骨１３の外側程度で、長さが例えば８０〜１２０ｍｍの第１中足骨頭２９付近から踵骨３の載距突起５後方付近までで、高さが例えば７〜１７ｍｍの内側縦アーチＣ４を正常な形状に保つ程度で、位置としては前述した骨の下に位置している。
【００５８】
外側縦アーチＣ５を整える形状９１は、木の葉のような形の足裏形状にフィットする形状で、大きさは、幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨３の中央付近までで、高さが例えば２〜４ｍｍの外側縦アーチＣ５はやや小さめで、位置としては前述した骨の下に位置している。又これらの凸形状は互いに滑らかな曲面でつながっているものである。
【００５９】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００６０】
また、内側縦アーチＣ４の頂点を構成する舟状骨７を中心として第１中足骨骨頭２９付近から踵骨３の載距突起５の後方付近の下に、これを支える膨隆部を形成することによってこれを矯正または予防することができる。外側縦アーチＣ５を整える凸形状が施されているので、同時に他の部分の骨格の崩れを防止することができる。
【００６１】
図５および図６（Ａ）〜（Ｄ）には、図１および図２（Ａ）に代わる他の実施の形態が示めされている。図５および図６（Ａ）〜（Ｄ）において、図１および図２（Ａ）における部品と同じ部品には同一の符号を付して重複する説明を省略する。
【００６２】
足底腱膜炎・踵骨棘は、足底腱膜に繰り返し張力がかかることによって、主に踵骨付着部や足底腱膜内側に疼痛を生じ、さらには足底腱膜が付着する踵骨底部に骨棘を生じ疼痛を発する。このため骨棘を生じた部位を凹形状で除圧し、足底腱膜に不要な張力がかからないように、内側縦アーチＣ４を持ち上げることによって、疼痛を軽減させる。同時に他の部分の骨格の崩れを防止するために足裏形状が全面で均一に接触するような凸形状が施されていることが重要である。
【００６３】
図５および図６（Ａ）〜（Ｄ）において、中敷き８１の足に接触する面すなわち表素材８３に、足の骨格のアーチである内側縦アーチＣ４、外側縦アーチＣ５を整える凸形状と、踵骨３の底部は踵周縁部と凹形状９３が施されている。
【００６４】
内側縦アーチＣ４を整える形状８９は、例えば木の葉のような形の足裏形状にフィットする形状で、大きさは、幅が例えば３５〜５５ｍｍの第１楔状骨９の内側から第３楔状骨１３の外側程度で、長さが例えば８０〜１１０ｍｍの第１中足骨頭２９付近から踵骨３の載距突起５付近までで、高さが例えば５〜１５ｍｍの内側縦アーチＣ４を正常な形状に保つ程度で、位置としては前述した骨の下に位置している。
【００６５】外側縦アーチＣ４を整える形状９１は、例えば木の葉のような形の足裏形状にフィットする形状で、大きさは、幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨中央付近までで、高さが例えば３〜７ｍｍの外側縦アーチＣ５を正常な形状に保つ程度に、位置としては前述した骨の下に位置している。これらの凸形状は滑らかな曲面でつながっているものである。
【００６６】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００６７】
また、骨棘を生じた部位を凹形状で除圧し、足底腱膜に不要な張力がかからないように、内側縦アーチを持ち上げることによって、疼痛を軽減させることができる。足裏形状が全面で均一に接触するような凸形状が施されているので、同時に他の部分の骨格の崩れを防止することができる。
【００６８】
図７および図８（Ａ）〜（Ｄ）には、図１および図２（Ａ）に代わる他の実施の形態が示めされている。図７および図８（Ａ）〜（Ｄ）において、図１および図２（Ａ）における部品と同じ部品には同一の符号を付して重複する説明を省略する。中足骨頭痛とはリウマチなどにより中足趾節関節が破壊され、足の横アーチが低下して第２および第３中足骨頭３１、３３に圧力が集中して疼痛を生じる。
【００６９】
このためこの部分が第１および第５中足骨頭２９、３７部分よりも低くなるように凹形状で除圧することによって、これを矯正または予防する。同時に他の部分の骨格の崩れを防止するために３つのアーチ（横アーチＣ３・内側縦アーチＣ４・外側縦アーチＣ５）を整える凸形状が施されていることが重要である。
【００７０】
同時に他の部分の骨格の崩れを防止するために３つのアーチ（横アーチ・内側縦アーチ・外側縦アーチ）を整える凸形状が施されていることが重要である。
【００７１】
図７および図８（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状と、例えば段差２〜５ｍｍである凹形状により第２及び第３中足骨１９、２１の骨頭下付近が第１及び第５中足骨１７、２５の頭部分より低くなるような形状が施されている。
【００７２】
横アーチＣ３を整える形状８７は、例えばしずく型の足裏形状にフィットする形状で、大きさは、幅が例えば４０〜６０ｍｍの第１中足骨１７・第５中足骨２５にかからない程度で、長さが例えば６０〜８０ｍｍの第２・第３中足骨１９、２１程度で、高さが例えば５〜１５ｍｍの横アーチＣ３を正常な形状に保つ程度で、位置としては第２・第３中足骨１９、２１の中間を中心とし、ＭＰラインから踵方向に位置している。
【００７３】
内側縦アーチＣ４を整える形状８９は、木の葉のような形の足裏形状にフィットする形状で、大きさは幅が例えば３５〜５５ｍｍの第１楔状骨９の内側から第３楔状骨１３の外側程度で、長さが例えば８０〜１１０ｍｍの第１中足骨１７の頭付近から踵骨３の載距突起５付近までで、高さが例えば５〜１２ｍｍの内側縦アーチＣ４を正常な形状に保つ程度で、位置としては前述した骨の下に位置している。
【００７４】
外側縦アーチＣ５を整える形状９１は、木の葉のような形の足裏形状にフィットする形状で、大きさは幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨３の中央付近までで、高さが例えば３〜７ｍｍの外側縦アーチＣ５を正常な形状に保つ程度で、位置としては前述した骨の下に位置している。又これらの凸形状は互いに滑らかな曲面でつながっているものである。
【００７５】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００７６】
また、足の横アーチＣ３が第１および第５中足骨１７、２５の頭部分よりも低くなるように凹形状で除圧することによって、疼痛を軽減させることができる。３つのアーチである横アーチＣ３、内側縦アーチＣ４、外側縦アーチＣ５を整える凸形状が施されているので、同時に他の部分の骨格の崩を防止することができる。
【００７７】
図９および図１０（Ａ）〜（Ｄ）には、図１および図２（Ａ）に代わる他の実施の形態が示されている。図９および図１０（Ａ）〜（Ｄ）において、図１および図２（Ａ）における部品と同じ部品には同一の符号を付して重複する説明を省略する。
【００７８】
膝痛とは変形性膝関節症などにより、膝関節内側半月板が破壊され膝関節は内反し疼痛を生じる。このため後足部を外反させて矯正するために、第５中足骨底２７から踵骨中央付近の下に楔状の形状を設定して、下腿全体を内倒れさせるような外力を加え、膝関節内側裂隙を広げるようにしてこれを矯正または予防する。同時に他の部分の骨格の崩れを防止するために３つのアーチ（横アーチＣ３・内側縦アーチＣ４・外側縦アーチＣ５）を整える凸形状が施されていることが重要である。
【００７９】
図９および図１０（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状が施されている。
【００８０】
横アーチＣ３を整える形状８７は、例えばしずく型の足裏形状にフィットする形状で、大きさは幅が例えば４０〜６０ｍｍの第１中足骨１７・第５中足骨２５にかからない程度で、長さが例えば６０〜８０ｍｍの第２・第３中足骨１９、２１程度で、高さが例えば５〜１５ｍｍの横アーチＣ３を正常な形状に保つ程度で、位置としては第２・第３中足骨１９、２１の中間を中心とし、ＭＰラインから踵方向に位置している。
【００８１】
内側縦アーチＣ４を整える形状８９は、例えば木の葉のような形の足裏形状にフィットする形状で、大きさは幅が例えば３５〜５５ｍｍの第１楔状骨１９の内側から第３楔状骨１３の外側程度で、長さが例えば８０〜１１０ｍｍの第３中足骨頭３３付近から踵骨３の載距突起５付近までで、高さが例えば５〜１２ｍｍの内側縦アーチＣ４を正常な形状に保つ程度で、位置としては前述した骨の下に位置している。
【００８２】
外側縦アーチＣ５を整える形状９１は、例えば木の葉のような形の足裏形状にフィットする形状で、大きさは幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨３の中央付近までで、高さが例えば３〜７ｍｍの外側縦アーチＣ５を正常な形状に保つ程度で、位置としては前述した骨の下に位置している。又これらの凸形状は互いに滑らかな曲面でつながっていて、尚かつ踵骨３の外側から踵骨３の外側に例えば外側から内側へ３〜６ｍｍ高い傾斜がついているものである。
【００８３】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００８４】
また、第５中足骨２５の底部２７から踵骨３の中央付近の下に楔状の形状を設定して、下腿全体を内倒れさせるような外力を加え、膝関節内側裂隙を広げるようにしてこれを矯正または予防することができる。３つのアーチである横アーチＣ３、内側縦アーチＣ４、外側縦アーチＣ５を整える凸形状が施されているので、同時に他の部分の骨格の崩れを防止することができる。
【００８５】
図１１および図１２（Ａ）〜（Ｄ）には、図１および図２（Ａ）に代わる他の実施の形態が示されている。図１１および図１２（Ａ）〜（Ｄ）において、図１および図２（Ａ）における部品と同じ部品には同一の符号を付して重複する説明を省略する。
【００８６】
腰痛とはさまざまな原因で発生するが、特に骨盤が前傾して腰椎の前弯が増強すると疼痛が増加する。このため前足部７１よりも後足部７５を低くすることにより、骨盤を後傾させて疼痛を軽減させる。同時に他の部分の骨格の崩れを防止し、特に内外側方向の安定を保持するために内側縦アーチＣ４と外側縦アーチＣ５を整える凸形状が施されていることが重要である。
【００８７】
図１１および図１２（Ａ）〜（Ｄ）において、中敷き８１の足に接触する面すなわち表素材８３に、足の骨格のアーチである内側縦アーチＣ４、外側縦アーチＣ５を整える凸形状が施されている。
【００８８】
内側縦アーチＣ４を整える形状８９は、例えば木の葉のような形の足裏形状にフィットする形状で、大きさは幅が例えば３５〜５５ｍｍの第１楔状骨９の内側から第３楔状骨１３の外側程度で、長さが例えば８０〜１１０ｍｍの第１中足骨頭２９付近から踵骨３の載距突起５付近までで、高さが例えば５〜１５ｍｍの内側縦アーチ４を正常な形状に保つ程度で、位置としては前述した骨の下に位置している。
【００８９】
外側縦アーチＣ５を整える形状９１は、例えば木の葉のような形の足裏形状にフィットする形状で、大きさは幅が例えば２０〜３０ｍｍの第５中足骨２５の底部２７の外側から第５中足骨２５の底部２７側程度で、長さが例えば４０〜６０ｍｍの第５中足骨２５の底部２７から踵骨３中央付近までで、高さが例えば３〜７ｍｍの外側縦アーチＣ５を正常な形状に保つ程度で、位置としては前述した骨の下に位置している。又これらの凸形状は互いに滑らかな曲面でつながっていて、尚かつ前足部７１、中足部７３に対して後足部７５の例えば２〜５ｍｍのレベルが低いものである。
【００９０】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００９１】
また、前足部７１、中足部７３よりも後足部７５を低くすることにより、骨盤を後傾させて疼痛を軽減させることができる。内側縦アーチＣ４と外側縦アーチＣ５を整える凸形状が施されているので、同時に他の部分の骨格の崩れを防止することができ、特に内外側方向の安定を保持することができる。
【００９２】
図１３および図１４（Ａ）〜（Ｄ）には、図１および図２（Ａ）に代わる他の実施の形態が示されている。図１３および図１４（Ａ）〜（Ｄ）において、図１および図２（Ａ）における部品と同じ部品には同一の符号を付して重複する説明を省略する。
【００９３】
モートン病とは、第３および第４中足骨２１、２３の骨頭間で交差し癒合する神経が、狭い靴を履くことなどによって圧迫を受けるために生じる絞扼性神経障害である。このため第３および第４中足骨２１、２３の骨頭間を広げるように横アーチＣ３を保持することにより、神経圧迫を取り除くことで疼痛を軽減させる。同時に他の部分の骨格の崩れを防止するために、内側縦アーチＣ４、外側縦アーチＣ５を整える凸形状が施されていることが重要である。
【００９４】
図１３および図１４（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状が施されている。
【００９５】
横アーチＣ３を整える形状８７は、例えばしずく型の足裏形状にフィットする形状で、幅が例えば４０〜６０ｍｍの第１中足骨・第５中足骨にかからない程度で、長さが例えば６０〜８０ｍｍの第２・第３中足骨１９、２１程度で、高さが例えば７〜１８ｍｍの横アーチＣ３を多少突き上げる程度で、位置としてはＭＰラインから踵方向で第３・第４中足骨２１、２３の中間部に位置している。
【００９６】
内側縦アーチＣ４を整える形状８９は、例えば木の葉のような形の足裏形状にフィットする形状で、大きさは幅が例えば３５〜５５ｍｍの第１楔状骨９の内側から第３楔状骨１３の外側程度で、長さが例えば８０〜１１０ｍｍの第１中足骨頭２９付近から踵骨３の載距突起５付近までで、高さが例えば５〜１２ｍｍの内側縦アーチＣ５を正常な形状に保つ程度で、位置としては前述した骨の下に位置している。
【００９７】
外側縦アーチＣ５を整える形状９１は、例えば木の葉のような形の足裏形状にフィットする形状で、大きさは幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨３の中央付近までで、高さが例えば３〜７ｍｍの外側縦アーチＣ５を正常な形状に保つ程度で、位置としては前述した骨の下に位置している。又これらの凸形状は互いに滑らかな曲面でつながっているものである。
【００９８】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【００９９】
また、第３および第４中足骨２１、２３の骨頭間を広げるように横アーチＣ３を保持することにより、神経圧迫を取り除くことで疼痛を軽減させることができる。内側縦アーチＣ４、外側縦アーチＣ５を整える凸形状が施されているので、同時に他の部分の骨格の崩れを防止することができる。
【０１００】
図１５および図１６（Ａ）〜（Ｄ）には、図１および図２（Ａ）に代わる他の実施の形態が示されている。図１５および図１６（Ａ）〜（Ｄ）において、図１および図２（Ａ）における部品と同じ部品には同一の符号を付して重複する説明を省略する。
【０１０１】
Ｏ脚とは両膝関節が内反した状態で、美観上の問題や膝関節内側に過大な負荷がかかることによって変形性膝関節症などに進行する可能性のある状態である。
【０１０２】
このためこのため中足部７３から後足部７５を外反させて矯正するために、第１中足骨頭２９付近から踵骨３の載距突起５付近の下に楔状の形状を設定して、下腿全体を内倒れさせるような外力を加え、膝関節を外反方向に誘導する。同時に足部に対して過度の外反矯正がかからないように、内側縦アーチＣ４を整える凸形状が施されていることが重要である。
【０１０３】
図１５および図１６（Ａ）〜（Ｄ）において、中敷き８１の足に接触する面すなわち表素材８３に、足の骨格のアーチである内側縦アーチＣ４、外側縦アーチＣ５を整える凸形状が施されている。
【０１０４】
内側縦アーチＣ４を整える形状８９は、例えば木の葉のような形の足裏形状にフィットする形状で、大きさは幅が例えば３５〜５５ｍｍの第１楔状骨１７の内側から第３楔状骨１３の外側程度で、長さが例えば８０〜１１０ｍｍの第１中足骨頭２９付近から踵骨３の載距突起５付近までで、高さが例えば５〜１２ｍｍの内側縦アーチＣ４を正常な形状に保つ程度で、位置としては前述した骨の下に位置している。
【０１０５】
外側縦アーチＣ５を整える形状９１は、例えば木の葉のような形の足裏形状にフィットする形状で、大きさは幅が例えば２０〜３０ｍｍの第５中足骨２５の底部２７の外側から第５中足骨２５の底部２７の内側程度で、長さが例えば４０〜６０ｍｍの第５中足骨２５の底部２７から踵骨３の中央付近までで、高さが例えば３〜７ｍｍの外側縦アーチＣ５を正常な形状に保つ程度で、位置としては前述した骨の下に位置している。又これらの凸形状は互いに滑らかな曲面でつながっていて、尚かつ踵骨外側から踵骨内側に例えば外側が３〜６ｍｍ高い傾斜がついているものである。
【０１０６】
上記構成により、医療技術のバラツキや病院に行く煩わしさを解消するために、この中敷き８１を使用しようとする者は、自分の足の状態に合わせて、そのタイプと自分の足サイズを選択するだけで、理想的な足骨格の矯正を行い、腰から下の整形外科疾患に対して治療的および予防的効果を得ることができる。
【０１０７】
また、中足部７３から後足部７５を外反させて矯正するために、第１中足骨頭２９付近から踵骨３の載距突起５付近の下に楔状の形状を設定して、下腿全体を内倒れさせるような外力を加え、膝関節を外反方向に誘導するので、中足部７３から後足部７５を外反させて矯正することができる。内側縦アーチＣ４を整える凸形状が施されているので、同時に足部に対して過度の外反矯正がかからないようにすることができる。
【０１０８】
図１８（Ａ）には図１および図２（Ａ）〜（Ｄ）、図３および図４（Ａ）〜（Ｄ）、図５および図６（Ａ）〜（Ｄ）、図７および図８（Ａ）〜（Ｄ）、図９および図１０（Ａ）〜（Ｄ）、図１１および図１２（Ａ）〜（Ｄ）、図１３および図１４（Ａ）〜（Ｄ）、図１５および図１６（Ａ）〜（Ｄ）で説明した中敷き８１の斜視図が示されていると共に、図１８（Ｂ）には履き物としての例えば室内履き９３の斜視図が示されている。
【０１０９】
図１８（Ｂ）において、室内履き９３は、足裏形状に合った本底９５と中底９７とで構成されており、この中底９７の外周部には、前記中敷き８１がぴったり嵌まり込むように、上方へ高くした外周縁部９９が形成されている。
【０１１０】
上記構成により、図１および図２（Ａ）〜（Ｄ）、図３および図４（Ａ）〜（Ｄ）、図５および図６（Ａ）〜（Ｄ）、図７および図８（Ａ）〜（Ｄ）、図９および図１０（Ａ）〜（Ｄ）、図１１および図１２（Ａ）〜（Ｄ）、図１３および図１４（Ａ）〜（Ｄ）、図１５および図１６（Ａ）〜（Ｄ）に示した形状の中敷き８１を中底９７の外周縁部９９内に図１９に示したように、嵌まり込ませると、ぴったり合って室内履き９３が出来上る。
【０１１１】
その結果、図１および図２（Ａ）〜（Ｄ）に示した形状の中敷き８１を用いて室内履き９３にすることで、請求項１と同様に、横アーチを持ち上げて正常な横アーチをつくることによってこれを矯正または予防することができる。３つのアーチである横アーチＣ３、内側縦アーチＣ４、外側縦アーチＣ５を整える凸形状が施されているから、同時に他の部分の骨格の崩れを防止することができる。
【０１１２】
また、図３および図４（Ａ）〜（Ｄ）に示した形状の中敷き８１を用いて室内履き９３にすることで、請求項２と同様に、内側縦アーチＣ３の頂点を構成する舟状骨７を中心として第１中足骨頭付近から踵骨の載距突起後方付近の下に、これを支える膨隆部を形成することによってこれを矯正または予防することができる。外側縦アーチＣ５を整える凸形状が施されているので、同時に他の部分の骨格の崩れを防止することができる。
【０１１３】
図５および図６（Ａ）〜（Ｄ）に示した形状の中敷き８１を用いて室内履き９３にすることで、請求項３と同様に、骨棘を生じた部位を凹形状で除圧し、足底腱膜に不要な張力がかからないように、内側縦アーチを持ち上げることによって、疼痛を軽減させることができる。足裏形状が全面で均一に接触するような凸形状が施されているので、同時に他の部分の骨格の崩れを防止することができる。
【０１１４】
図７および図８（Ａ）〜（Ｄ）に示した形状の中敷き８１を用いて室内履き９３にすることで、請求項４と同様に、足の横アーチＣ３が第１および第５中足骨頭部分よりも低くなるように凹形状で除圧することによって、疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１１５】
図９および図１０（Ａ）〜（Ｄ）に示した形状の中敷き８１を用いて室内履き９３にすることで、請求項５と同様に、踵骨外側から踵骨内側に傾斜をつけることで、下腿全体を内倒れさせるような外力を加え、膝関節内側裂隙を広げるようにして疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１１６】
図１１および図１２（Ａ）〜（Ｄ）に示した形状の中敷き８１を用いて室内履き９３にすることで、請求項６と同様に、前足部、中足部よりも後足部を低くすることにより、骨盤を後傾させて疼痛を軽減させることができる。内側縦アーチＣ４と外側縦アーチＣ５を整える凸形状が施されているので、同時に他の部分の骨格の崩れを防止することができ、特に内外側方向の安定を保持することができる。
【０１１７】
図１３および図１４（Ａ）〜（Ｄ）に示した形状の中敷き８１を用いて室内履き９３にすることで、請求項７と同様に、第３および第４中足骨頭間を広げるように横アーチを保持することにより、神経圧迫を取り除くことで疼痛を軽減させることができる。内側縦アーチＣ４、外側縦アーチＣ５を整える凸形状が施されているので、同時に他の部分の骨格の崩れを防止することができる。
【０１１８】
図１５および図１６（Ａ）〜（Ｄ）に示した形状の中敷き８１を用いて室内履き９３にすることで、請求項８と同様に、中足部から後足部を外反させて矯正するために、第５中足骨骨幹付近から踵骨内側付近の下に楔状の形状を設定して、下腿全体を内倒れさせるような外力を加え、膝関節を外反方向に誘導するので、Ｏ脚を矯正することができる。内側縦アーチＣ４を整える凸形状が施されているので、同時に足部に対して過度の外反矯正がかからないようにすることができる。
【０１１９】
前記図１および図２（Ａ）〜（Ｄ）、図３および図４（Ａ）〜（Ｄ）、図５および図６（Ａ）〜（Ｄ）、図７および図８（Ａ）〜（Ｄ）、図９および図１０（Ａ）〜（Ｄ）、図１１および図１２（Ａ）〜（Ｄ）、図１３および図１４（Ａ）〜（Ｄ）、図１５および図１６（Ａ）〜（Ｄ）に示した形状の中敷き８１を室内履き９３の中底９７に嵌め込ませる手段としては、単に前記中敷き８１を着脱可能に嵌め込ませるだけでもよいし、または、マジックテープ（登録商標）を用いて着脱可能に嵌め込せるようにしても構わない。あるいは、接着剤等を使って、中敷き８１を室内履き９３の中底９７に一体化せしめてもよい。
【０１２０】
なお、履き物として室内履き９３を例にとって説明したが、それ以外の例えば靴などの履き物であっても構わない。
【０１２１】
なお、この発明は前述した実施の形態に限定されることなく、適宜な変更を行うことによりその他の態様で実施し得るものである。
【０１２２】
【発明の効果】
以上のごとき発明の実施の形態の説明から理解されるように、請求項１の発明によれば、横アーチを持ち上げて正常な横アーチをつくることによってこれを矯正または予防することができる。３つのアーチである横アーチＣ３、内側縦アーチＣ４、外側縦アーチＣ５を整える凸形状が施されているから、同時に他の部分の骨格の崩れを防止することができる。
【０１２３】
請求項２の発明によれば、内側縦アーチＣ３の頂点を構成する舟状骨を中心として第１中足骨頭付近から踵骨の載距突起５後方付近の下に、これを支える膨隆部を形成することによってこれを矯正または予防することができる。外側縦アーチＣ５を整える凸形状が施されているので、同時に他の部分の骨格の崩れを防止することができる。
【０１２４】
請求項３の発明によれば、骨棘を生じた部位を凹形状で除圧し、足底腱膜に不要な張力がかからないように、内側縦アーチを持ち上げることによって、疼痛を軽減させることができる。足裏形状が全面で均一に接触するような凸形状が施されているので、同時に他の部分の骨格の崩れを防止することができる。
【０１２５】
請求項４の発明によれば、足の横アーチＣ３が第１および第５中足骨頭部分よりも低くなるように凹形状で除圧することによって、疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１２６】
請求項５の発明によれば、第５中足骨底から踵骨中央付近の下に楔状の形
状を設定して、下腿全体を内倒れさせるような外力を加え、膝関節内側裂隙を広げるようにして疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１２７】
請求項６の発明によれば、前足部、中足部よりも後足部を低くすることにより、骨盤を後傾させて疼痛を軽減させることができる。内側縦アーチＣ４と外側縦アーチＣ５を整える凸形状が施されているので、同時に他の部分の骨格の崩れを防止することができ、特に内外側方向の安定を保持することができる。
【０１２８】
請求項７の発明によれば、第３および第４中足骨頭間を広げるように横アーチを保持することにより、神経圧迫を取り除くことで疼痛を軽減させることができる。内側縦アーチＣ４、外側縦アーチＣ５を整える凸形状が施されているので、同時に他の部分の骨格の崩れを防止することができる。
【０１２９】
請求項８の発明によれば、中足部から後足部を外反させて矯正するために、第１中足骨頭付近から踵骨の載距突起付近の下に楔状の形状を設定して、下腿全体を内倒れさせるような外力を加え、膝関節を外反方向に誘導するので、中足部から後足部を外反させて矯正することができる。内側縦アーチＣ４を整える凸形状が施されているので、同時に足部に対して過度の外反矯正がかからないようにすることができる。
【０１３０】
請求項９の発明によれば、構造が表素材と裏素材の多層構造からなっているので、簡単に製作することができる。
【０１３１】
請求項１０の発明によれば、裏素材はエラストマーまたはコルクからなっているので、履き物用中敷きが弾性に富み、衝撃がソフトに吸収され、足裏部の感触をよくすることができ、丈夫である。
【０１３２】
請求項１１の発明によれば、請求項１と同様に、横アーチを持ち上げて正常な横アーチをつくることによってこれを矯正または予防することができる。３つのアーチである横アーチＣ３、内側縦アーチＣ４、外側縦アーチＣ５を整える凸形状が施されているから、同時に他の部分の骨格の崩れを防止することができる。
【０１３３】
請求項１２の発明によれば、請求項２と同様に、内側縦アーチＣ３の頂点を構成する舟状骨７を中心として第１中足骨頭付近から踵骨の載距突起後方付近の下に、これを支える膨隆部を形成することによってこれを矯正または予防することができる。外側縦アーチＣ５を整える凸形状が施されているので、同時に他の部分の骨格の崩れを防止することができる。
【０１３４】
請求項１３の発明によれば、請求項３と同様に、骨棘を生じた部位を凹形状で除圧し、足底腱膜に不要な張力がかからないように、内側縦アーチを持ち上げることによって、疼痛を軽減させることができる。足裏形状が全面で均一に接触するような凸形状が施されているので、同時に他の部分の骨格の崩れを防止することができる。
【０１３５】
請求項１４の発明によれば、請求項４と同様に、足の横アーチＣ３が第１および第５中足骨頭部分よりも低くなるように凹形状で除圧することによって、疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１３６】
請求項１５の発明によれば、請求項５と同様に、踵骨外側から踵骨内側に傾斜をつけることで、下腿全体を内倒れさせるような外力を加え、膝関節内側裂隙を広げるようにして疼痛を軽減させることができる。３つのアーチである横アーチＣ３、内側縦アーチＣ４、外側縦アーチＣ５を整える凸形状が施されているので、同時に他の部分の骨格の崩れを防止することができる。
【０１３７】
請求項１６の発明によれば、請求項６と同様に、前足部、中足部よりも後足部を低くすることにより、骨盤を後傾させて疼痛を軽減させることができる。内側縦アーチＣ４と外側縦アーチＣ５を整える凸形状が施されているので、同時に他の部分の骨格の崩れを防止することができ、特に内外側方向の安定を保持することができる。
【０１３８】
請求項１７の発明によれば、請求項７と同様に、第３および第４中足骨頭間を広げるように横アーチを保持することにより、神経圧迫を取り除くことで疼痛を軽減させることができる。内側縦アーチＣ４、外側縦アーチＣ５を整える凸形状が施されているので、同時に他の部分の骨格の崩れを防止することができる。
【０１３９】
請求項１８の発明によれば、請求項８と同様に、中足部から後足部を外反させて矯正するために、第５中足骨骨幹付近から踵骨内側付近の下に楔状の形状を設定して、下腿全体を内倒れさせるような外力を加え、膝関節を外反方向に誘導するので、Ｏ脚を矯正することができる。内側縦アーチＣ４を整える凸形状が施されているので、同時に足部に対して過度の外反矯正がかからないようにすることができる。
【図面の簡単な説明】
【図１】この発明の履き物用中敷きの底面図である。
【図２】（Ａ）は図１における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図３】この発明の別の履き物用中敷きの底面図である。
【図４】（Ａ）は図３における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図５】この発明の別の履き物用中敷きの底面図である。
【図６】（Ａ）は図５における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図７】この発明の別の履き物用中敷きの底面図である。
【図８】（Ａ）は図７における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図９】この発明の別の履き物用中敷きの底面図である。
【図１０】（Ａ）は図９における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図１１】この発明の別の履き物用中敷きの底面図である。
【図１２】（Ａ）は図１１における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図１３】この発明の別の履き物用中敷きの底面図である。
【図１４】（Ａ）は図１３における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図１５】この発明の別の履き物用中敷きの底面図である。
【図１６】（Ａ）は図１５における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図１７】足の骨格を示した底面図である。
【図１８】（Ａ）は、図１および図２（Ａ）〜（Ｄ）、図３および図４（Ａ）〜（Ｄ）、図５および図６（Ａ）〜（Ｄ）、図７および図８（Ａ）〜（Ｄ）、図９および図１０（Ａ）〜（Ｄ）、図１１および図１２（Ａ）〜（Ｄ）、図１３および図１４（Ａ）〜（Ｄ）、図１５および図１６（Ａ）〜（Ｄ）に示した中敷きの斜視図、（Ｂ）は、中敷が着脱可能な履き物としての例えば室内履きの斜視図である。
【図１９】履き物としての例えば室内履きの中底に中敷きを嵌り込ませた状態の斜視図である。
【符号の説明】
１  距骨
３  踵骨
５  踵骨載距突起
７  舟状骨７
９  第１楔状骨
１１  第２楔状骨  １３  第３楔状骨
１５  立方骨
１７  第１中足骨
１９  第２中足骨
２１  第３中足骨
２３  第４中足骨
２５  第５中足骨
２７  第５中足骨底部
２９  第１中足骨頭
３１  第２中足骨頭
３３  第３中足骨頭
３５  第４中足骨頭
３７  第５中足骨頭
４３  第１基節骨
４５  第２基節骨
４７  第３基節骨
４９  第４基節骨
５１  第５基節骨
７１  前足部
７３  中足部
７５  後足部
８１  履き物用中敷き
８３  表素材
８５  裏素材
９３  室内履き（履き物）
９５  本底
９７  中底
９９  外周縁部
Ｃ３  横アーチ
Ｃ４  内側縦アーチ
Ｃ５  外側縦アーチ
【図１】
2004181206.tif 000003
【図２】
2004181206.tif 000004
【図３】
2004181206.tif 000005
【図４】
2004181206.tif 000006
【図５】
2004181206.tif 000007
【図６】
2004181206.tif 000008
【図７】
2004181206.tif 000009
【図８】
2004181206.tif 000010
【図９】
2004181206.tif 000011
【図１０】
2004181206.tif 000012
【図１１】
2004181206.tif 000013
【図１２】
2004181206.tif 000014
【図１３】
2004181206.tif 000015
【図１４】
2004181206.tif 000016
【図１５】
2004181206.tif 000017
【図１６】
2004181206.tif 000018
【図１７】
2004181206.tif 000019
【図１８】
2004181206.tif 000020
【図１９】
2004181206.tif 000021